(57)【要約】      （修正有）【課題】ロール紙などを載置して運搬するロール部材用パレットのパレット台座に関し、載置されるロール部材を固定する固定部材の収容性を向上させ、不使用時の保管性を向上させる。【解決手段】パレット基部１２の一部に、ロール部材を固定するクサビ状固定部材１８Ａ〜１８Ｃのテーパ面１７Ｂに対応するテーパ面１７Ａを形成し、クサビ状固定部材１８Ａ〜１８Ｃを、当該パレット台座１１の上面１３と同一面にして、当該テーパ面１７Ａに形成した嵌合凸部２１及び当該クサビ状固定部材１８Ａ〜１８Ｃのテーパ面１７Ｂに形成した嵌合凹部２２により着脱自在に取り付けて一体化させる構成とする。【選択図】図２
2015036301.tif 000002
【特許請求の範囲】
【請求項１】
ロール部材を載置し、当該ロール部材をクサビ状固定部材で固定するパレット台座であって、
前記パレット基部の一部に前記クサビ状固定部材のテーパ面に対応するテーパ面を形成して当該クサビ状固定部材を当該パレット台座の上面と同一面にして着脱自在に取り付けて一体化させることを特徴とするパレット台座。
【発明の詳細な説明】
【技術分野】
【０００１】
本発明は、ロール紙などを載置して運搬するロール部材用パレットのパレット台座に関する。
【背景技術】
【０００２】
近年、大量の帳票などを作製するためにロール紙が使用され、また、大量のフィルム包装を作製するためにロールフィルムが使用されており、これらロール紙やロールフィルムを運搬するためにパレットが用いられる。このようなパレットはロール固定させる固定部材の収容性が良好で、不使用時の保管性が良好であることが望まれる。
【０００３】
従来、ロール紙を運搬するパレットとして特許文献１で開示されているような運搬具が知られている。当該運搬具は、台板の上面にロール紙を搭載し、固定クサビ及び可動クサビでその周面を保持すると共に、中心に保持ロープを通して固定するようにし、不使用時に、パレット上に設けた収納箱に保持ロープと可動クサビを収納するものである。
【先行技術文献】
【特許文献】
【０００４】
【特許文献１】実開平０５−０９２１３６号公報
【発明の概要】
【発明が解決しようとする課題】
【０００５】
上記特許文献１で示されているパレットは、不使用時には収納箱に可動クサビなどを収納して紛失を防止するものであるが、上面に設けられた固定クサビや収納箱が設けられていることから、不使用に積み重ねるにしても無駄な空間を有することとなって効率的な積み重ね保管ができないという問題がある。
【０００６】
そこで、本発明は上記課題に鑑みなされたもので、載置されるロール部材を固定する固定部材の収容性を向上させ、不使用時の保管性を向上させるパレット台座を提供することを目的とする。
【課題を解決するための手段】
【０００７】
上記課題を解決するために、請求項１の発明では、ロール部材を載置し、当該ロール部材を所定数のクサビ状固定部材で固定するパレット台座であって、前記パレット基部の一部に前記クサビ状固定部材のテーパ面に対応するテーパ面を形成して当該クサビ状固定部材を当該パレット台座の上面と同一面にして着脱自在に取り付けて一体化させる構成とする。
【発明の効果】
【０００８】
本発明によれば、パレット基部の一部に、ロール部材を固定するクサビ状固定部材のテーパ面に対応するテーパ面を形成し、当該クサビ状固定部材を当該パレット台座の上面と同一面にして着脱自在に取り付けて一体化させる構成とすることにより、ロール部材を固定するクサビ状固定部材がパレット台座の上面と同一面で着脱自在に取り付けられることから、収容性を向上させることができ、少なくとも当該クサビ状固定部材の収容によって不使用時の保管性を向上させることできるものである。また、ロール部材を載置して移動する際に、横移動ではなく、転がし方向に移動してもクサビ状固定部材を収納する箱などが邪魔になるということを回避することができるものである。
【図面の簡単な説明】
【０００９】
【図１】本発明に係るパレット台座の構成図である。
【図２】図１のクサビ状固定部の説明図である。
【図３】図１のパレット台座の使用状態の説明図（１）である。
【図４】図１のパレット台座の使用状態の説明図（２）である。
【図５】図１のパレット台座の他の使用状態の説明図である。
【図６】本発明のパレット台座の他の構成説明図である。
【発明を実施するための形態】
【００１０】
以下、本発明の実施形態を図により説明する。
図１に発明に係るパレット台座の構成図を示すと共に、図２に図１のクサビ状固定部の説明図を示す。図１において、図１（Ａ）はパレット台座を上面側より示しており、図２（Ｂ）は底面側より示したものである。パレット台座１１は、例えば硬質樹脂や金属製のものであり、若しくは後述のクサビ状固定部材と同質のものとしてもよい。
【００１１】
図１（Ａ）に示すように、パレット台座１１となるパレット基部１２における均一面の上面１３に表面より穿つように第１円弧面１４が形成され、当該第１円弧面１４の両側に第２円弧面１５，１５が形成される。第１円弧面１４及び第２円弧面１５，１５は、ロール部材の径に応じて、例えば２種類の径のロール部材を対象として形成されるもので、例えば第１円弧面１４は６００ｍｍΦのロール部材に対応させ、第２円弧面１５，１５は１２７０ｍｍΦのロール部材に対応させた径の円弧面としている。
【００１２】
上面１３上であって、一方の第２円弧面１５側に、長手方向に沿ってポール固定孔１６が１列で所定数形成される。当該ポール固定孔１６は貫通孔であってもよく、貫通されない深穴であってもよい。また、パレット基部１２の一部である端部に、上面１３と同一面であり、長手方向に３つ並んでクサビ状固定部材１８Ａ〜１８Ｃがテーパ面１７で当接して着脱自在に取り付けられている（図２で説明する）。
【００１３】
一方、パレット基部１２における底面１９は、図１（Ｂ）に示すように、本体係合凸部２０が所定パターンで形成される。当該本体係合凸部２０は、図３で後述するパレット本体上に固定載置されるときのためのもので、パレット本体上に対応する台座係合凹部が形成されている。また、底面１９には、上面１３より貫通されたポール固定孔１６が表れる。
【００１４】
パレット基部１２には、図２（Ａ）に示すように、クサビ状固定部材１８Ａ〜１８Ｃが位置される部分にテーパ面１７Ａが形成され、当該テーパ面１７Ａ上に嵌合凸部２１が所定数ずつ形成される。クサビ状固定部材１８Ａ〜１８Ｃは、図２（Ｂ）に示すように、テーパ面１７Ｂに上記嵌合凸部２１に対応した嵌合凹部２２が形成される。
【００１５】
クサビ状固定部材１８Ａ〜１８Ｃは、例えば発泡ポリエチレンや発泡ポリプロピレンなどの弾性素材で形成される。弾性程度は、その発泡倍率（２０倍・・・６０倍・・・）で適宜設定される。当該クサビ状固定部材１８Ａ〜１８Ｃは硬質の樹脂や金属製のものでもよいが、使用時にその圧力でロール部材に外傷を与えることを防止することや、ロール部材がノンカーボン紙のときの長期載置状態での発色を防止する意味では弾性素材が好ましい。
【００１６】
このようなクサビ状固定部材１８Ａ〜１８Ｃは、嵌合凹部２２をパレット台座１１の嵌合凸部２１に嵌合させ、テーパ面１７Ａとテーパ面１７Ｂとを当接状態とすることで、当該クサビ状固定部材１８Ａ〜１８Ｃがパレット台座１１に対して上面１３と同一面にして着脱自在に取り付けられて一体化されるものである。
【００１７】
なお、クサビ状固定部材１８Ａ〜１８Ｃの個数や長手方向の寸法はパレット台座１１の長手方向の寸法の範囲内で、また、パレット台座１１上に載置されるロール部材の幅長（パレット台座１１の長手方向と同方向）に応じて使用する個数で適宜設定される。
【００１８】
また、パレット台座１１の嵌合凸部２１とクサビ状固定部材１８Ａ〜１８Ｃの嵌合凹部２２との嵌合状態は図示しないが、作業者において容易に着脱でき、かつ、嵌合状態での運搬や移動で容易に離脱しない程度の係止形状である。例えば、嵌合凹部２２の大きさを嵌合凸部２１と同等以下とすることなど、従前より知られている係止手段で対処することができる。
【００１９】
そこで、図３及び図４に、図１のパレット台座の使用状態の説明図を示す。図３（Ａ）に示すように、パレット本体３１の上面上に台座係合凹部３３が、パレット台座１１の底面１９に形成された本体係合凸部２０と対応したパターンで形成され、一の側面に運搬用係合部３２Ａ，３２Ｂが形成される。なお、パレット本体３１とパレット台座１１とを当初より一体とすることとしてもよい。
【００２０】
このようなパレット本体３１上にパレット台座１１が、台座係合凹部３３と本体係合凸部２０とで係合固定され、図３（Ｂ）に示すように、パレット台座１１の例えば第１円弧面１４上にロール部材４１がその幅方向と長手方向とを一致させて載置される。ロール部材４１は、例えばロール紙、ロールフィルムなどである。
【００２１】
また、ロール部材４１が載置された状態で、パレット台座１１に形成されたポール固定孔１６に転倒防止ポール４２Ａ，４２Ｂが差し込まれる。これによって、運搬時にロール部材４１のパレット台座長手方向への脱落を防止するものである。なお、転倒防止ポール４２Ａ，４２Ｂは固定長のものでもよく、また、伸縮自在ものでもよい。
【００２２】
続いて、図４（Ａ）に示すように、パレット台座１１よりクサビ状固定部材１８Ａ〜１８Ｃを分離させ、図４（Ｂ）に示すように、これらを例えば反対側（分離させた側からでもよい）よりロール部材４１の周面の下方に押し込んで当該ロール部材４１を固定するものである。なお、本実施形態の図では、ロール部材４１に対して転倒防止ポール４２Ａ，４２Ｂを最も外側に立設させ、３つのクサビ状固定部材１８Ａ〜１８Ｃで固定させた場合を示したが、ロール部材４１の幅に応じたポール固定孔１６に転倒防止ポール４２Ａ，４２Ｂを立設させ、２つの若しくは１つのクサビ状固定部材１８Ａ，１８Ｂ，１８Ｃで固定させるものである。
【００２３】
ところで、パレット台座１１のクサビ状固定部材１８Ａ〜１８Ｃを着脱自在に設けた側の反対側の部分に、上面１３と同一面となる蓋部として箱状の空間を形成することによって、当該箱状空間内に上記転倒防止ポール４２Ａ，４２Ｂを収納させることとしてもよい。
【００２４】
ここで、図５に、図１のパレット台座の他の使用状態の説明図を示す。図５（Ａ）、（Ｂ）は、パレット台座１１上に径の異なるロール部材４１Ａ，４１Ｂ，４１Ｃを搭載する場合を示したもので、例えば１０００ｍｍΦのロール部材４１Ａ、１３００ｍｍΦのロール部材４１Ｂ、１０００ｍｍΦのロール部材４１Ｃとしている。この場合、複数のクサビ状固定部材１８Ａ〜１８Ｃとすることで、何れのロール部材４１Ａ〜４１Ｃにも対処できるものである。また、転倒防止ポール４２Ａ，４２Ｂによって、運搬時のパレット台座１１上からの脱落や、倒れ（特にロール部材４１Ｂ）に対しても効果的に防止することができるものである。
【００２５】
次に、図６に、本発明のパレット台座の他の構成説明図を示す。図６（Ａ）、（Ｂ）において、パレット台座１１のクサビ状固定部材１８Ａ〜１８Ｃを着脱自在に設けた側の反対側に、さらにテーパ面５１で当接させたクサビ状固定部材５２Ａ〜５２Ｃを当該パレット台座１１の上面１３と同一面にして着脱自在に取り付けて一体化させたものである。
【００２６】
すなわち、パレット台座１１には、テーパ面１７Ａの反対側にテーパ面５１Ａを形成され、当該テーパ面５１Ａ上に嵌合凸部５３が所定数ずつ形成される。一方、クサビ状固定部材５２Ａ〜５２Ｃは、テーパ面５１Ｂに上記嵌合凸部５３に対応した嵌合凹部（図に表れず）が形成されるもので、各嵌合凸部５３に各クサビ状固定部材５２Ａ〜５２Ｃの嵌合凹部を嵌合させ、テーパ面５１同士を当接させたものである。
【００２７】
このようなクサビ状固定部材５２Ａ〜５２Ｃを、クサビ状固定部材１８Ａ〜１８Ｃと共に分離させ、載置されたロール部材の周面に対して両側より固定させることで、当該ロール部材をより安定固定させるものである。
【００２８】
このように、ロール部材４１を固定するクサビ状固定部材１８Ａ〜１８Ｃ，５２Ａ〜５２Ｃがパレット台座１１の上面１３と同一面で着脱自在に取り付けられることから、これらを紛失させることなく、収容性を向上させることができるものである。また、少なくとも当該クサビ状固定部材１８Ａ〜１８Ｃ，５２Ａ〜５２Ｃの収容によって不使用時に重ねられても表面上の凹凸がなく、無駄な空間を存在させないことから積み重ね数を増やすこともでき、パレット台座１１若しくはパレット全体（パレット台座１１及びパレット本体３１）の不使用時の保管性を向上させることできるものである。また、ロール部材を載置させて移動する際に、横移動ではなくて、転がし方向に移動しても従前の特許文献１のようなクサビ状固定部材を収納する箱などで邪魔になるということを回避することができるものである。
【産業上の利用可能性】
【００２９】
本発明のパレット台座は、ロール部材を運搬するための器具としての製造産業、及び、これを使用する各種製造業に利用可能である。
【符号の説明】
【００３０】
１１            パレット台座
１２            パレット基部
１３            上面
１４            第１円弧面
１５            第２円弧面
１６            ポール固定孔
１７，５１      テーパ面
１８，５２      クサビ状固定部材
１９            底面
２０            本体係合凸部
２１，５３      嵌合凸部
２２            嵌合凹部
３１            パレット本体
３２            運搬用係合部
３３            台座係合凹部
４１            ロール部材
４２            転倒防止ポール 
【図１】
2015036301.tif 000003
【図２】
2015036301.tif 000004
【図３】
2015036301.tif 000005
【図４】
2015036301.tif 000006
【図５】
2015036301.tif 000007
【図６】
2015036301.tif 000008